(57)【要約】【課題】建築途中の建物の避難誘導灯についての消防中間検査の際に、容易に使用できるとともに、仮設のイベント会場等に設置できる可搬式簡易表示装置を提供する。【解決手段】表示器本体１と、当該表示器本体１が上端に取り付けられた支持ポール２とから成り、前記表示器本体１は、側面に電池を電源とした発光面が設けられ、当該発光面の上に、案内表示が記載された表示パネル４が着脱自在に取付けられており、前記支持ポール２は、多段式で伸縮自在となっている。また、具体的には前記表示パネル４は、透明収納ケースに入り、当該透明収納ケースが前記表示器本体１の発光面に着脱自在に取り付けられる。【選択図】      図１
0003200459.tif 000002
【実用新案登録請求の範囲】
【請求項１】
表示器本体と、当該表示器本体が上部に取り付けられた支持ポールとから成り、前記表示器本体は、側面に電池を電源とした発光面が設けられ、当該発光面の上に、案内表示が記載された表示パネルが着脱自在に取付けられており、前記支持ポールは、長手方向に伸縮自在となっていることを特徴とする、可搬式簡易表示装置。
【請求項２】
前記表示器本体の複数の側面に、前記発光面及び当該発光面に取り付けられた表示パネルが設けられていることを特徴とする、請求項１に記載の可搬式簡易表示装置。
【請求項３】
前記表示器本体を上部に支持した支持ポールを床面に立てるスタンドを設けたことを特徴とする、請求項１又は２に記載の可搬式簡易表示装置。
【請求項４】
前記表示器本体の前記発光面に、一側の開口部から表示パネルを挿入自在な薄い透明収納ケースを設けたことを特徴とする、請求項１〜３のいずれかに記載の可搬式簡易表示装置。
【請求項５】
前記表示器本体の前記発光面に、当該発光面を被覆自在な枠状扉を開閉自在に有し、当該枠状扉の枠の内側に透明な保護板を嵌め、前記表示パネルを発光面と枠状扉で挟持して前記表示パネルが枠状扉の外側から目視可能としたことを特徴とする、請求項１〜３のいずれかに記載の可搬式簡易表示装置。
【請求項６】
前記表示器反対の前記発光面の両側縁及び下側縁に、前記表示パネルを支持するコ字型の支持枠を設け、当該支持枠に表示パネルを嵌めると、前記発光面に表示パネルが重なり、支持される構成としたことを特徴とする、請求項１〜３のいずれかに記載の可搬式簡易表示装置。
【考案の詳細な説明】
【技術分野】
【０００１】
この考案は、可搬式の避難誘導灯などの簡易表示装置に関するものである。
【背景技術】
【０００２】
従来、公共施設等の大型の建物内には、災害時の避難誘導灯が必要箇所に設置されている。これらの避難誘導灯の設置については、建物の建築仕上げ工事の前に、消防中間検査においって、消防署の検査員の立会いの下で避難誘導灯の位置や高さを現地で事前に確認することとなっている。それでも避難誘導灯の設置位置については、担当消防署の主観もあり、仕上げ工事後に、変更・追加の指摘を受けることが多い。
【０００３】
また、一方、前記避難誘導灯は、特許文献１に示すように、建物の床面や壁面に凹部を設け、当該凹部内に設置し、表面に透明な保護板を被せた固定式となっているものが多い。従って、この様な前記仕上げ工事後に、避難誘導灯等の位置や取付け数の是正を行うことは、養生費、電工費、建築仕上げの補修費等の無駄なコストがかかってしまう。
【０００４】
通常であれば、上記事前確認で図面を使って打合せを行い、誘導灯の取付け位置を決定し、取り付ける。ただし、図面のみの事前確認では、実際の目視のしやすさの確認に限界がある。そのため、消防中間検査では、実際に誘導灯の取付け工事を行う前に、誘導灯の写真を現地に貼り付けたり、当該写真をぶら下げたりすることで、取付けイメージを事前に確認し、仕上げ工事後の消防署の指摘による誘導灯の設置位置の変更や追加を減らすことが有効である。
【先行技術文献】
【特許文献】
【０００５】
【特許文献１】公開実用新案（実開昭６４−４０１０８号）公報
【考案の開示】
【考案が解決しようとする課題】
【０００６】
前記消防中間検査では、消防署の検査員の目視による確認のため、建築中の建物内の現地に誘導灯の写真を貼り付けたり、ぶら下げたりするための事前の準備が必要となり、手間がかかる。また、前記誘導灯の写真等を一定の距離から目視するため、周囲が暗くて目視できない場合もあり、確認が不十分なこともでてくる。
【０００７】
また、上記避難誘導灯とは異なるが、仮設のイベン会場でイベントを行う場合に、階段やエレベーター、トイレ等の案内表示が、設けられていないことがある。この場合、紙等の案内表示板を建物等に貼ったりしているが、これらの紙の表示板は、遠くから目視しにくい。また、剥がれやすい等の問題がある。
【０００８】
そこで、この考案は、これらの問題点に鑑みて考案されたもので、建築途中の建物の避難誘導灯についての消防中間検査の際に、容易に使用できるとともに、仮設のイベント会場等に設置できる可搬式簡易表示装置を提供するものである。
【課題を解決するための手段】
【０００９】
請求項１の考案は、表示器本体と、当該表示器本体が上部に取り付けられた支持ポールとから成り、前記表示器本体は、側面に電池を電源とした発光面が設けられ、当該発光面の上に、案内表示が記載された表示パネルが着脱自在に取付けられており、前記支持ポールは長手方向に伸縮自在となっている、可搬式簡易表示装置とした。
【００１０】
また、請求項２の考案は、前記表示器本体の複数の側面に、前記発光面及び当該発光面に取り付けられた表示パネルが設けられている、請求項１に記載の可搬式簡易表示装置とした。
【００１１】
また、請求項３の考案は、前記表示器本体を上部に支持した支持ポールを床面に立てるスタンドを設けた、請求項１又は２に記載の可搬式簡易表示装置とした。
【００１２】
また、請求項４の考案は、前記表示器本体の前記発光面に、一側の開口部から表示パネルを挿入自在な薄い透明収納ケースを設けた、請求項１〜３のいずれかに記載の可搬式簡易表示装置とした。
【００１３】
また、請求項５の考案は、前記表示器本体の前記発光面に、当該発光面を被覆自在な枠状扉を開閉自在に有し、当該枠状扉の枠の内側に透明な保護板を嵌め、前記表示パネルを発光面と枠状扉で挟持して前記表示パネルが枠状扉の外側から目視可能とした、請求項１〜３のいずれかに記載の可搬式簡易表示装置とした。
【００１４】
また、請求項６の考案は、前記表示器反対の前記発光面の両側縁及び下側縁に、前記表示パネルを支持するコ字型の支持枠を設け、当該支持枠に表示パネルを嵌めると、前記発光面に表示パネルが重なり、支持される構成とした、請求項１〜３のいずれかに記載の可搬式簡易表示装置とした。
【考案の効果】
【００１５】
請求項１の考案よれば、表示パネルの表示を、避難誘導表示とした場合、前記消防中間検査において、この考案の表示装置の発光面を光らせ、検査立会者がこの表示装置の支持ポールを持って、当該装置を支持すれば、一定距離だけ離れた位置から検査員が、当該表示装置を目視することができる。この場合、当該表示装置の表示器本体には、避難誘導灯と同じ表示パネルが表示されており、その上、発光表示される。それ故、臨場感のある中で、避難誘導灯の高さや位置を確認できる。そして、検査の際には、検査立会者が当該表示装置を容易に動かすことができるので、その位置を容易に調整することができる。しかも、この様な表示装置を予め用意しておけば、複数の種類の表示パネルの中から表示パネルを選んで、表示器本体に取り付けるだけで準備でき、検査準備が容易である。
【００１６】
また、当該表示装置を仮設のイベント会場等で使用する場合、前記表示器本体の表示パネルを、トイレやエレベーター箇所、出入口、或いは非難誘導灯等の案内表示や非難誘導表示の中から選び、これを表示器本体に取り付け、必要に応じて発光面を光らせ、当該表示装置を係員が持って立っているか、当該表示装置の支持ポールを建物の適時箇所に縛るなどして固定しておけば、簡易な案内表示や非難誘導表示として使用できる。
【００１７】
請求項２の考案によれば、前記発光面及び当該発光面に取り付けられた表示パネルが複数の側面に設けられているので、表示パネルを目的に合わせて取替えることなく、目的の表示にあわせて、表示器本体の向きをかえれば、目的の表示ができる。
【００１８】
また、請求項３の考案によれば、スタンドをこの考案の表示装置の支持ポールに取り付けるか、予めスタンドを一体に有する表示装置にしておけば、自立型の表示装置となり、前記消防中間検査の際や、仮設のイベント会場等で、検査立会者が手で持つことなく、設置することができる。
【００１９】
また、請求項４〜６の考案によれば、多種類の表示パネルを予め用意しておけば、表示目的にあわせて、表示パネルを簡単に表示器本体の発光面に取り付けることができる。
【図面の簡単な説明】
【００２０】
【図１】この考案の実施の形態例１の可搬式簡易表示装置の斜視図である。
【図２】この考案の実施の形態例１の可搬式簡易表示装置の側面図である。
【図３】この考案の実施の形態例１の河畔式簡易表示装置の表示器本体部分の拡大一部斜視図である。
【図４】この発明の実施の形態例１の可搬式簡易表示装置の使用状態を示す斜視図である。
【図５】この発明の実施の形態例１の可搬式簡易表示装置にスタンドを設けた状態の斜視図である。
【図６】この考案の実施の形態例１の可搬式簡易表示装置の表示器本体への表示パネルの他の取付け構造を示す拡大一部斜視図である。
【図７】この考案の実施の形態例１の可搬式簡易表示装置の表示器本体への表示パネルのさらに他の取付け構造を示す拡大一部斜視図である。
【図８】この考案の実施の形態例１の可搬式簡易表示装置の表示器本体への表示パネルの図７に示す取付け構造の表示器本体の概略断面図である。
【図９】この考案の実施の形態例１の可搬式簡易表示装置の表示器本体に取り付ける避難誘導表示パネルの例を示すそれぞれ正面図である。
【図１０】この考案の実施の形態例１の可搬式簡易表示装置の表示器本体に取り付ける案内表示パネルの例を示すそれぞれ正面図である。
【考案を実施するための形態】
【００２１】
この考案の実施の形態例１の可搬式簡易表示装置を図１及び図２に基づいてついて説明する。
【００２２】
この実施の形態例１の可搬式簡易表示装置Ａは、表示器本体１と、当該表示器本体１が上端に取り付けられた支持ポール２とから成り、前記表示器本体１は、正面、背面の両側面に電池を電源とした発光面３、３が設けられ、当該各発光面３の上に、案内表示が記載された表示パネル４を挿入自在な薄型の透明収納ケース５、５を着脱自在に取付ける構成となっている。
【００２３】
また、前記支持ポール２は、多段式で長手方向に伸縮自材な構成となっている。この伸縮構造は、公知のもので構成され、任意の長さに調整して、固定される。
【００２４】
また、上記薄型の透明収納ケース５は、図３に示すように、四隅に設けたネジ６を、前記表示器本体１の発光面３の四隅に設けたネジ穴７にそれぞれ螺着して、発光面３に重ねて取り付ける。また、当該透明収納ケース５は上面又は側面に開口部を有し、上記表示パネル４は、これらの開口部から透明収納ケース５内に挿入するようになっている。
【００２５】
この実施の形態例１の可搬式簡易表示装置Ａは、以上の構成であり、例えば、大型の建物内での非難誘導灯の設置に当たり、建築途中の消防中間検査の際は、当該可搬式簡易表示装置Ａの表示器本体の表示パネルを避難誘導表示のパネルに選んでこれを取付け、図４に示すように、建築途中の建物内８の避難誘導灯の取り付け箇所に、検査立会者Ｂが当該可搬式簡易表示装置Ａを持って立ち、これを少し離れた箇所から検査員Ｃが目視する。また、その際、透明収納ケース５は正面側と背面側の両側面に取り付けられるので、夫々種類の異なった表示パネル４を入れておき、現場でその場所に応じた表示パネルを使用できる。
【００２６】
その際、発光面３の電源をオンにして光らせると、表示パネル４が光り、あたかも実際の固定された非難誘導灯と同じものとなり、臨場感のある環境で検査員Ｃは正確な検査をしやすく、また、検査立会者Ｂが検査員Ｃの指示に基づいて当該可搬式簡易表示装置Ａを容易に動かすことができ、避難誘導灯の適宜な位置を決めることができる。
【００２７】
また、当該可搬式簡易表示装置Ａの支持ポール２箇所に、自立型のスタンド９を取付け、可搬式簡易表示装置Ａを適宜の箇所に立設することができる。このスタンド９は、別設の物を用いても良く、予め当該可搬式簡易表示装置Ａに一体に取り付けたものでも良い。
【００２８】
このようにすると、前記建築途中の消防中間検査の際に、検査立会者Ｂが当該可搬式簡易表示装置Ａを手で持たなくても良い。また、仮設のイベント会場等で当該可搬式簡易表示装置Ａを用いる場合に、スタンド９があると容易に所望に位置に設置することできる。その際は、避難誘導表示でも、会場の案内表示にも使用でき、便利である。
【００２９】
また、図６は、上記図３の表示器本体１に代えた構成の表示器本体１０を示す。この表示器本体１０は表示器本体１０の表示面３の一側に蝶番で取り付けられた開閉自在な枠状扉１１が設けられ、当該枠状扉１１の内側に透明な保護板１２が嵌められている。
【００３０】
この場合は、表示パネル４を前記表示器本体１０の発光面３に載せ、枠状扉１１を閉めると、表示パネル４はこれらに挟持され、枠状扉１１の外側から目視可能である。
【００３１】
また、図７及び図８は、上記図３の表示器本体１に代えた、さらに他の構成の表示器本体１３を示す。この表示器本体１３は表示器本体１３の表示面３の両側縁及び下側縁に、前記表示パネル４を支持する上向きコ字型の支持枠１４を設け、当該支持枠１４に前記表示パネル４を嵌めると、前記発光面３に表示パネル４が重なり、支持される構成となっている。なお、上記支持枠１４は上向きコ字型としたが、横向きコ字型でもよい。
【００３２】
図９は、上記避難誘導表示パネルの例を示すもので、（ａ）、（ｂ）、（ｃ）図は夫々非常口の所在乃至は方向を示すものである。また、図１０は案内表示パネルの例を示すものであり、（ａ）図は婦人トイレ、（ｂ）図は男女トイレ、（ｃ）図はエレベーターを示す。
【００３３】
なお、上記実施の形態例１では、表示器本体１の発光面に重ねて取付ける表示パネルの取付け構造を複数例示したが、当該取付け構造は、これらのものに限るものではない。表示パネルの取付けは、上記の他に例えば、マグネットによる取付け構造であっても良い。また、上記実施の形態例１では、発光面を２面としたが、これに限らず、表示器本体の発光面を３面以上にしてもよい。
【符号の説明】
【００３４】
Ａ      可搬式簡易表示装置      Ｂ      検査立会者
Ｃ      検査員
１      表示器本体              ２      支持ポール
３      発光面                  ４      表示パネル
５      透明収納ケース          ６      ネジ
７      ネジ穴                  ８      建物内
９      スタンド                １０    表示パネル
１１    枠状扉                  １２    保護板
１３    表示器本体              １４    支持枠
【図１】
0003200459.tif 000003
【図２】
0003200459.tif 000004
【図３】
0003200459.tif 000005
【図４】
0003200459.tif 000006
【図５】
0003200459.tif 000007
【図６】
0003200459.tif 000008
【図７】
0003200459.tif 000009
【図８】
0003200459.tif 000010
【図９】
0003200459.tif 000011
【図１０】
0003200459.tif 000012